(57)【要約】      （修正有）【課題】貯湯式の給湯能力オーバー時でも、効率が良く経済的な自動湯張りが行える貯湯式給湯装置を提供する。【解決手段】貯湯缶体１内の湯水を給湯用に供給する給湯管８と、前記給湯管８から分岐し風呂循環回路１５に接続して開閉弁１８の開成で貯湯缶体１内の湯水を浴槽１３に湯張りする湯張り管１６と、前記貯湯缶体１内の湯水の温度を検知する缶体温度センサ２２による検知温度や、給湯や湯張りの温度を検知する給湯温度センサ１１による検知温度により、バーナ２の燃焼制御や開閉弁１８の開閉制御や風呂循環ポンプ１４の駆動制御を行う制御部２９とを備えたもので、前記制御部２９は、湯張り中に缶体温度センサ２２或いは給湯温度センサ１１が所定温度以上を検知しない場合は、開閉弁１８を所定時間間隔で開閉制御するようにしたものである。【選択図】図１
2015206550.tif 000002
【特許請求の範囲】
【請求項１】
湯水を貯湯する貯湯缶体と、該貯湯缶体内の湯水を加熱するバーナと、前記貯湯缶体内に備えられ該貯湯缶体内の湯水と熱交換して浴槽水を加熱する風呂熱交換器と、前記風呂熱交換器と浴槽とを連結する風呂循環回路と、前記風呂循環回路途中に備えられ浴槽水を風呂熱交換器に循環させて追い焚きする風呂循環ポンプと、前記貯湯缶体内の湯水を給湯用に供給する給湯管と、前記給湯管から分岐し風呂循環回路に接続して開閉弁の開成で貯湯缶体内の湯水を浴槽に湯張りする湯張り管と、前記貯湯缶体内の湯水の温度を検知する缶体温度センサによる検知温度や、給湯や湯張りの温度を検知する給湯温度センサによる検知温度により、バーナの燃焼制御や開閉弁の開閉制御や風呂循環ポンプの駆動制御を行う制御部とを備えたものに於いて、前記制御部は、湯張り中に缶体温度センサ或いは給湯温度センサが所定温度以上を検知しない場合は、開閉弁を所定時間間隔で開閉制御するようにした事を特徴とする貯湯式給湯装置。
【発明の詳細な説明】
【技術分野】
【０００１】
この発明は、湯水を貯湯する貯湯缶体と、この貯湯缶体内の湯水を加熱するバーナと、前記貯湯缶体内に備えられ貯湯されている湯水との熱交換で浴槽水を加熱する風呂熱交換器とを備え、給湯は勿論、湯張りから追い焚き保温まで行える貯湯式給湯装置に関するものである。
【背景技術】
【０００２】
従来よりこの種の給湯装置では、給水管に水の流量を調整する水比例弁を備え、給湯温度の要求がバーナの燃焼能力をオーバーしている場合には、水比例弁で水の流量を絞ることで、要求する設定温度の行うようにしたものであった。
【先行技術文献】
【特許文献】
【０００３】
【特許文献１】特開平７−２４３７００号公報
【発明の概要】
【発明が解決しようとする課題】
【０００４】
ところがこの従来のものでは、水道圧をそのまま利用した直圧方式では、給水圧を少々絞っても大きな問題にはならないが、水道圧を元々減圧弁で減圧している貯湯式では、給水圧がこれ以上低くなると使用勝手が悪くなることから水比例弁は使用されない為、貯湯式給湯装置では、自動湯張り運転時に燃焼量が不足する能力オーバー状態となった場合、設定温度での湯張りが出来ず、湯張り後の追い焚きに時間がかかり、自動湯張り運転完了までの時間も長く、燃料消費量や電力消費量も増えると言う課題を有するものであった。
【課題を解決するための手段】
【０００５】
この発明は上記課題を解決する為、特にその構成を、湯水を貯湯する貯湯缶体と、該貯湯缶体内の湯水を加熱するバーナと、前記貯湯缶体内に備えられ該貯湯缶体内の湯水と熱交換して浴槽水を加熱する風呂熱交換器と、前記風呂熱交換器と浴槽とを連結する風呂循環回路と、前記風呂循環回路途中に備えられ浴槽水を風呂熱交換器に循環させて追い焚きする風呂循環ポンプと、前記貯湯缶体内の湯水を給湯用に供給する給湯管と、前記給湯管から分岐し風呂循環回路に接続して開閉弁の開成で貯湯缶体内の湯水を浴槽に湯張りする湯張り管と、前記貯湯缶体内の湯水の温度を検知する缶体温度センサによる検知温度や、給湯や湯張りの温度を検知する給湯温度センサによる検知温度により、バーナの燃焼制御や開閉弁の開閉制御や風呂循環ポンプの駆動制御を行う制御部とを備えたものに於いて、前記制御部は、湯張り中に缶体温度センサ或いは給湯温度センサが所定温度以上を検知しない場合は、開閉弁を所定時間間隔で開閉制御するようにしたものである。
【発明の効果】
【０００６】
以上のようにこの発明によれば、自動湯張り中の貯湯缶体内の湯温や、供給される給湯温度が所定温度まで上昇しないことで、燃焼の能力オーバーと判断し、湯張り管の開閉弁を所定時間間隔で開閉制御することにより、少しでも湯張り温度を上昇させながら湯張りを行うことが出来、湯張り後の追い焚き時間の短縮が図られ、自動湯張り運転完了までの時間も短くなり、燃料消費量や電力消費量も少なくて済み経済的で無駄のない運転を行うことが出来るものである。
【図面の簡単な説明】
【０００７】
【図１】この発明の一実施形態の貯湯式給湯装置の概略構成図。
【図２】同電気回路の要部ブロック図。
【図３】同要部のフローチャート。
【発明を実施するための形態】
【０００８】
次にこの発明の一実施形態の貯湯式給湯装置について、図面に基づいて説明する。
１は湯水を貯湯する貯湯缶体で、下部には貯湯した湯水を加熱するガンタイプ式のバーナ２が備えられており、上部には排気ガスから潜熱を回収する２次熱交換器３が備えられている。
【０００９】
４は途中に減圧弁５が設けられた給水管で、２次熱交換器３で先ず加熱された給水を貯湯缶体１に流入させるように接続されており、又途中からは給水バイパス管６が分岐しミキシング弁７に接続されている。
【００１０】
８は貯湯缶体１の上部に接続し該貯湯缶体１内の湯水を給湯箇所に適宜供給する給湯管で、途中には貯湯缶体１内の圧力上昇分を排出する安全弁９や、給水バイパス管６からの給水と湯水とをミキシングして設定温度の給湯を得る前記ミキシング弁７や、給湯流量をカウントする給湯フローセンサ１０及び給湯温度を検知する給湯温度センサ１１が備えられている。
【００１１】
１２は貯湯缶体１内に備えられた風呂熱交換器で、浴槽１３とは風呂循環ポンプ１４を備えた風呂循環回路１５を介して連通し、風呂循環ポンプ１４の駆動で浴槽水を風呂熱交換器１２で貯湯されている湯水と熱交換して加熱し、浴槽１３に戻す循環を繰り返して風呂の追い焚きや保温を行うようにしている。
【００１２】
１６は給湯管８途中から分岐して前記風呂循環回路１５に接続し、湯張りフローセンサ１７やこの回路を開閉する開閉弁１８や２つの逆止弁１９を備えた湯張り管で、前記貯湯缶体１内の湯水をミキシング弁７で設定温度にミキシングして風呂循環回路１５を介して浴槽１３に湯張りするものである。
【００１３】
２０は風呂循環回路１５の風呂熱交換器１２の手前を湯張り時に風呂バイパス管２１側に切り替える風呂三方弁で、追い焚きや保温時には風呂熱交換器１２を浴槽水が流通するようにして風呂を沸き上げ、湯張り時には風呂熱交換器１２を流通せず湯張り水がバイパスすることで加熱されることを防止して湯張りされるようにしたものである。
【００１４】
２２は貯湯缶体１内の湯水の温度を検知する缶体温度センサ、２３は風呂循環回路１５に備えられ浴槽水の温度を検知する風呂温度センサ、２４は同じく風呂循環回路１５に備えられ浴槽１３内の残水の有無を検知する水流センサ、２５は２次熱交換器３で発生する酸性のドレン水を中和する中和器、２６は水位センサ、２７は水封電極、２８は凍結温度センサである。
【００１５】
２９は入力側に給湯フローセンサ１０、給湯温度センサ１１、湯張りフローセンサ１７、缶体温度センサ２２、風呂温度センサ２３、水流センサ２４、水位センサ２６、水封電極２７、凍結温度センサ２８、風呂設定温度や給湯設定温度の設定及び各種運転指示を行う操作リモコン３０等が接続したマイコンから成る制御部で、出力側にはバーナ２、ミキシング弁７、風呂循環ポンプ１４、開閉弁１８、風呂三方弁２０が接続され、バーナ２の燃焼制御やミキシング弁７駆動の給湯制御や開閉弁１８の開閉制御による湯張り制御や、風呂循環ポンプ１４の駆動制御及び風呂三方弁２０の切り替え制御による追い焚きや保温制御を行うものである。
【００１６】
次にこの一実施形態の作動について、図３の示すフローチャートに従って説明すれば、先ず操作リモコン３０からの指示で、湯張り後に追い焚きを行って風呂設定温度の浴槽水とする自動湯張り運転が開始され（ステップ３１）、ステップ３２の開閉弁１８を開成した湯張り中では、ステップ３３に進みバーナ２の燃焼状態が最大能力状態で、且つミキシング弁７の湯側が１００％状態かを判断し、即ち、給湯の能力オーバー状態かを見るが、能力オーバー状態ではないＮＯの場合には、ステップ３４に進ものである。
【００１７】
そしてステップ３４では、開閉弁１８を開成状態のままでミキシング弁７で風呂設定温度にミキシングされた湯水を湯張り管１６から風呂循環回路１５を介し、湯張りフローセンサ１７が予め設定された所定量のカウントをするまで湯張りし、更にステップ３５に進んで風呂循環ポンプ１４を駆動して風呂熱交換器１２で加熱することで、浴槽水を風呂設定温度に追い焚きを行い、そしてステップ３６で自動湯張り運転を停止するものである。
【００１８】
又ステップ３３で給湯の能力オーバー状態のＹＥＳでは、ステップ３７に進み缶体温度センサ２２の検知温度或いは給湯温度センサ１１の検知温度が、所定温度である風呂設定温度以上を検知しないことを最終条件とし、ＹＥＳでステップ３８に進み貯湯式の給湯能力オーバー時の制御である開閉弁１８を所定時間間隔で開閉制御、ここでは６０秒開成で１０秒閉成の制御で湯張りフローセンサ１７が予め設定された所定量のカウントをするまで湯張りした後に、ステップ３５に進んで風呂循環ポンプ１４を駆動して風呂熱交換器１２で加熱し、ステップ３６で自動湯張り運転を停止するものである。
【００１９】
従いまして、貯湯式の給湯能力オーバー時でも、少しでも湯張り温度を上昇させながら湯張りを行うことが出来、湯張り後の追い焚き時間の短縮が図られ、自動湯張り運転完了までの時間も短くなり、燃料消費量や電力消費量も少なくて済み経済的で無駄のない運転を行うことが出来るものである。
【００２０】
尚、ステップ３７で缶体温度センサ２２の検知温度或いは給湯温度センサ１１の検知温度が、所定温度である風呂設定温度以上を検知する場合は、ＮＯで通常の自動湯張りであるステップ３４に進み自動湯張りを行うものである。
【符号の説明】
【００２１】
１  貯湯缶体
２  バーナ
８  給湯管
１１  給湯温度センサ
１２  風呂熱交換器
１３  浴槽
１４  風呂循環ポンプ
１５  風呂循環回路
１６  湯張り管
１８  開閉弁
２２  缶体温度センサ
２９  制御部
【図１】
2015206550.tif 000003
【図２】
2015206550.tif 000004
【図３】
2015206550.tif 000005